(57)【要約】      （修正有）【課題】弱押鍵時に明瞭なクリック感を発生させる。【解決手段】押鍵操作されると、鍵Ｋのアクチュエータ１３が感触生成ユニット１７を介して被駆動部１６を駆動し、アクチュエータ１３は感触生成ユニット１７の摺動領域を摺動する。摺動領域におけるレスト対応位置Ｐｒよりもエンド対応位置Ｐｅに近い位置に反力増加領域Ｒ０が設けられる。起毛部材の起毛群が配設される領域が反力増加領域Ｒ０となっている。起毛群は、側面視で摺動における復方向に傾斜して植立され、斜めに起立する。押鍵の往行程においてアクチュエータ１３が摺接面１７ａを往方向に摺動するとき、低摩擦部材では発生する摩擦力が小さいが、起毛群が存在することにより、反力増加領域Ｒ０では発生する摩擦力が一時的に大きくなる。【選択図】図１
2013167790.tif 000002
【特許請求の範囲】
【請求項１】
ハンマ駆動部を有し、押鍵操作によりレスト位置からエンド位置までの範囲を回動する鍵と、
被駆動部を有し、前記鍵に対応して設けられ、対応する鍵の前記ハンマ駆動部によって前記被駆動部が押圧駆動されることで回動して押鍵動作に慣性を与えるハンマ体とを有し、
押鍵行程において、前記ハンマ駆動部及び前記被駆動部のいずれか一方である摺動部がいずれか他方である被摺動部に対して摺動し得るよう構成され、
前記摺動部が当接し得る前記被摺動部の摺動領域のうち、前記鍵がレスト位置にあるときに前記摺動部が当接するレスト対応位置よりも、前記鍵がエンド位置にあるときに前記摺動部が当接するエンド対応位置に近い領域に、押鍵行程において前記摺動部が前記被摺動部に対して往方向に摺動するときに発生する摩擦による反力が一時的に大きくなる反力増加領域を設けたことを特徴とする鍵盤装置。
【請求項２】
前記反力増加領域は、押鍵行程において前記摺動部が前記被摺動部に対して往方向に摺動するときよりも離鍵行程において前記摺動部が前記被摺動部に対して復方向に摺動するときの方が、発生させる摩擦力が小さいことを特徴とする請求項１記載の鍵盤装置。
【請求項３】
前記被摺動部における前記反力増加領域の表面には起毛群が設けられ、前記起毛群は、側面視で前記復方向に傾斜して植立されたことを特徴とする請求項２記載の鍵盤装置。
【請求項４】
前記被摺動部における前記反力増加領域には、表面から窪んだ溝群が設けられ、前記溝群は、側面視で底側にいくほど前記往方向寄りとなるよう傾斜して形成されたことを特徴とする請求項２記載の鍵盤装置。
【請求項５】
前記被摺動部において前記反力増加領域に、硬質部分を埋設したことを特徴とする請求項１〜４のいずれか１項に記載の鍵盤装置。
【請求項６】
前記被摺動部のうち前記反力増加領域の表面を凸状に形成したことを特徴とする請求項１〜５のいずれか１項に記載の鍵盤装置。
【請求項７】
ハンマ駆動部を有し、押鍵操作によりレスト位置からエンド位置までの範囲を回動する鍵と、
被駆動部を有し、前記鍵に対応して設けられ、対応する鍵の前記ハンマ駆動部によって前記被駆動部が押圧駆動されることで回動して押鍵動作に慣性を与えるハンマ体とを有し、
押鍵行程において、前記ハンマ駆動部及び前記被駆動部のいずれか一方である摺動部がいずれか他方である被摺動部に対して摺動し得るよう構成され、
前記摺動部が当接し得る前記被摺動部の摺動領域のうち、前記鍵がレスト位置にあるときに前記摺動部が当接するレスト対応位置よりも、前記鍵がエンド位置にあるときに前記摺動部が当接するエンド対応位置に近い領域に、硬質部分を埋設したことを特徴とする鍵盤装置。
【請求項８】
前記被摺動部のうち前記硬質部分を設けた領域の表面を凸状に形成したことを特徴とする請求項７記載の鍵盤装置。
【発明の詳細な説明】
【技術分野】
【０００１】
本発明は、押鍵動作に慣性を与えるハンマ体を有した鍵盤装置に関する。
【背景技術】
【０００２】
従来、押鍵動作に慣性を与えるために、アコースティックピアノのハンマに相当するハンマ体を有した鍵盤装置が知られている。また、アコースティックピアノで、押鍵行程においてジャックが抜ける際に生じるクリック感に近いものを実現する工夫がなされたものが知られている。
【０００３】
例えば、特許文献１の装置では、鍵の下面にクリック感付与用の凹部または突起を設けると共に、ハンマ体にはそれに対応する摺接用突起または凹部を設け、押鍵行程において凹部と突起とが摺接するときにクリック感が生じるようになっている。
【０００４】
アコースティックピアノにおいては押鍵の態様は様々であり、ゆっくりとした押鍵（弱押鍵）であれば鍵とハンマとが押鍵行程の全てで当接関係となる。しかし、所定以上の強い（速い）押鍵になると押鍵途中で鍵からハンマが分離し、ハンマが自由に回動していく態様となる場合もある。従って、ジャック抜けの感触は弱押鍵時に生じるが強押鍵時には生じない。
【先行技術文献】
【特許文献】
【０００５】
【特許文献１】特開平４−１６６９９４号公報
【発明の概要】
【発明が解決しようとする課題】
【０００６】
しかしながら、特許文献１の装置では、凹部と突起とが押鍵の強さにかかわらず係合するため、強押鍵時にも無視できない程度のクリック感が発生し、押鍵感触がアコースティックピアノのものとは異質なものになってしまう。一方、仮に強押鍵時のクリック感を小さくするためにクリック発生機構の作用を弱めに設計すると、弱押鍵時のクリック感が不明瞭となってしまう。
【０００７】
本発明は上記従来技術の問題を解決するためになされたものであり、その目的は、弱押鍵時に明瞭なクリック感を発生させることができる鍵盤装置を提供することにある。
【課題を解決するための手段】
【０００８】
上記目的を達成するために本発明の請求項１の鍵盤装置は、ハンマ駆動部（１３、１１７）を有し、押鍵操作によりレスト位置からエンド位置までの範囲を回動する鍵（Ｋ）と、被駆動部（１６、１７）を有し、前記鍵に対応して設けられ、対応する鍵の前記ハンマ駆動部によって前記被駆動部が押圧駆動されることで回動して押鍵動作に慣性を与えるハンマ体（ＨＭ）とを有し、押鍵行程において、前記ハンマ駆動部及び前記被駆動部のいずれか一方である摺動部（１３、１６ａ）がいずれか他方である被摺動部（１７、１１７）に対して摺動し得るよう構成され、前記摺動部が当接し得る前記被摺動部の摺動領域のうち、前記鍵がレスト位置にあるときに前記摺動部が当接するレスト対応位置（Ｐｒ）よりも、前記鍵がエンド位置にあるときに前記摺動部が当接するエンド対応位置（Ｐｅ）に近い領域に、押鍵行程において前記摺動部が前記被摺動部に対して往方向に摺動するときに発生する摩擦による反力が一時的に大きくなる反力増加領域（Ｒ０）を設けたことを特徴とする。
【０００９】
好ましくは、前記反力増加領域（Ｒ０）は、押鍵行程において前記摺動部が前記被摺動部に対して往方向に摺動するときよりも離鍵行程において前記摺動部が前記被摺動部に対して復方向に摺動するときの方が、発生させる摩擦力が小さい（請求項２）。
【００１０】
好ましくは、前記被摺動部における前記反力増加領域の表面（１７ａ、１１７ａ）には起毛群（２４）が設けられ、前記起毛群は、側面視で前記復方向に傾斜して植立される（請求項３）。
【００１１】
好ましくは、前記被摺動部における前記反力増加領域には、表面から窪んだ溝群（２５）が設けられ、前記溝群は、側面視で底側にいくほど前記往方向寄りとなるよう傾斜して形成される（請求項４）。
【００１２】
好ましくは、前記被摺動部において前記反力増加領域に、硬質部分（２８）を埋設した（請求項５）。好ましくは、前記被摺動部のうち前記反力増加領域の表面を凸状（２９）に形成した（請求項６）。
【００１３】
上記目的を達成するために本発明の請求項７の鍵盤装置は、ハンマ駆動部を有し、押鍵操作によりレスト位置からエンド位置までの範囲を回動する鍵と、被駆動部を有し、前記鍵に対応して設けられ、対応する鍵の前記ハンマ駆動部によって前記被駆動部が押圧駆動されることで回動して押鍵動作に慣性を与えるハンマ体とを有し、押鍵行程において、前記ハンマ駆動部及び前記被駆動部のいずれか一方である摺動部（１３、１６ａ）がいずれか他方である被摺動部（１７、１１７）に対して摺動し得るよう構成され、前記摺動部が当接し得る前記被摺動部の摺動領域のうち、前記鍵がレスト位置にあるときに前記摺動部が当接するレスト対応位置（Ｐｒ）よりも、前記鍵がエンド位置にあるときに前記摺動部が当接するエンド対応位置（Ｐｅ）に近い領域に、硬質部分（２８）を埋設したことを特徴とする。
【００１４】
好ましくは、前記被摺動部のうち前記硬質部分を設けた領域の表面を凸状（２９）に形成した（請求項８）。
【００１５】
なお、上記括弧内の符号は例示である。
【発明の効果】
【００１６】
本発明の請求項１、７によれば、弱押鍵時に明瞭なクリック感を発生させることができる。
【００１７】
請求項２によれば、離鍵行程におけるクリック感を小さくして違和感を抑制することができる。
【００１８】
請求項５、６、８によれば、クリック感を一層明瞭にすることができる。
【図面の簡単な説明】
【００１９】
【図１】本発明の第１の実施の形態に係る鍵盤装置の１つの鍵に着目した要部の側面視による模式図（図（ａ））、鍵のアクチュエータとハンマ体の被駆動部との係合部分の拡大図（図（ｂ））である。
【図２】感触生成ユニットの反力増加領域付近の拡大図（図（ａ））、変形例の感触生成ユニットの反力増加領域付近の拡大図である。
【図３】押鍵行程における弱押鍵時、強押鍵時の押鍵ストロークと押鍵反力との関係を示す図である。
【図４】第２の実施の形態における感触生成ユニットの反力増加領域付近の拡大図（図（ａ））、感触生成ユニットの変形例を示す図（図（ｂ））である。
【発明を実施するための形態】
【００２０】
以下、本発明の実施の形態を図面を参照して説明する。
【００２１】
（第１の実施の形態）
図１（ａ）は、本発明の第１の実施の形態に係る鍵盤装置の１つの鍵に着目した要部の側面視による模式図である。本鍵盤装置は並列配置された複数の鍵Ｋとそれらに対応するハンマ体ＨＭとを有し、電子鍵盤楽器に好適である。本発明に関し、鍵Ｋには白鍵及び黒鍵が該当するが、それらの構成、及びそれらに対応する構成要素の構成は基本的に同様である。
【００２２】
本鍵盤装置はシャーシ１０を有する。鍵Ｋは、押離操作により鍵支点１１を中心に回動（揺動）自在に配設される。鍵支点１１はシャーシ１０に軸支されている。鍵Ｋにはアクチュエータ１３が垂下突設されている。
【００２３】
ハンマ体ＨＭは対応する鍵Ｋの下方に配置され、ハンマ支点１４を中心に回動（揺動）自在に配設される。ハンマ支点１４はシャーシ１０に軸支されている。ハンマ体ＨＭは、質量集中部１８を自由端部に有し、その自重により図１（ａ）の反時計方向に常に付勢されている。ハンマ体ＨＭの被駆動部１６には、鍵Ｋのアクチュエータ１３から駆動力を受ける感触生成ユニット１７が固定されている。シャーシ１０の上部１０ａには、ハンマ上限ストッパ１９が固定され、シャーシ１０の下部１０ｂにはハンマ下限ストッパ９が固定されている。
【００２４】
非押鍵状態では、ハンマ体ＨＭはその自重によりハンマ下限ストッパ９に当接しており、鍵Ｋ及びハンマ体ＨＭは図１（ａ）の仮想線で示される初期位置（レスト位置）に位置する。押鍵操作されると、鍵Ｋのアクチュエータ１３が感触生成ユニット１７を介して被駆動部１６を駆動し、ハンマ体ＨＭが図１（ａ）の時計方向に回動して押鍵動作に慣性を与える。ハンマ体ＨＭがハンマ上限ストッパ１９に当接すると、鍵Ｋ及びハンマ体ＨＭの回動終了位置（エンド位置）が規制される。
【００２５】
図１（ｂ）は、鍵Ｋのアクチュエータ１３とハンマ体ＨＭの被駆動部１６との係合部分の拡大図である。
【００２６】
本実施の形態では、押鍵行程において感触生成ユニット１７に対してアクチュエータ１３が摺動する構成であるので、ハンマ駆動部であるアクチュエータ１３が「摺動部」、被駆動部である被駆動部１６（実質的には感触生成ユニット１７）が「被摺動部」となる。
【００２７】
押鍵操作によりアクチュエータ１３の先端部が感触生成ユニット１７を押圧駆動する。感触生成ユニット１７におけるアクチュエータ１３に対向する面一な表面が摺接面１７ａとなる。押鍵の態様は様々であり、ゆっくりとした押鍵（弱押鍵）であればアクチュエータ１３が感触生成ユニット１７に押鍵往行程の全てで摺動関係となる。弱押鍵は、非常にゆっくりとした速度（２ｍｍ／ｓｅｃ程度）での押鍵であり、アコースティックピアノでいえば、押鍵行程においてジャックが抜ける際にクリック感が生じるような押鍵態様である。しかし、強押鍵（速い押鍵）になると、押鍵途中でアクチュエータ１３から感触生成ユニット１７が離れ、ハンマ体ＨＭが自由に回動していく態様となる場合もある。
【００２８】
しかしいずれにしても、非押鍵状態においてアクチュエータ１３は感触生成ユニット１７に対してレスト対応位置Ｐｒで当接する。また、押鍵終了（押し切り）状態においてアクチュエータ１３は感触生成ユニット１７に対してエンド対応位置Ｐｅで当接する。すなわち、鍵Ｋのレスト位置、エンド位置に、それぞれレスト対応位置Ｐｒ、エンド対応位置Ｐｅが対応する。感触生成ユニット１７において、レスト対応位置Ｐｒからエンド対応位置Ｐｅまでの領域が、アクチュエータ１３が摺動し得る摺動領域となる。
【００２９】
アクチュエータ１３は感触生成ユニット１７に対して摺動するとき、押鍵行程では図１（ｂ）の左方に移動し、離鍵行程では右方に移動する。以降、アクチュエータ１３の摺動方向について、図１（ｂ）の左方を往方向、右方を復方向とも呼称する。
【００３０】
図１（ｂ）に示す反力増加領域Ｒ０は、摺動領域のうち押鍵の往行程においてアクチュエータ１３と摺接面１７ａとの摩擦が一時的に大きくなる領域である。感触生成ユニット１７の摺動領域におけるレスト対応位置Ｐｒよりもエンド対応位置Ｐｅに近い位置に反力増加領域Ｒ０は設けられている。反力増加領域Ｒ０は、アコースティックピアノでの弱押鍵による押鍵往行程における、ジャックがローラから外れるジャック抜けの位置付近に相当するよう設定されている。すなわち、反力増加領域Ｒ０は、押鍵往行程におけるクリック感が発生するストローク位置に対応している。
【００３１】
反力増加領域Ｒ０で発生摩擦を大きくする具体的構成例を、図２（ａ）、（ｂ）で説明する。
【００３２】
図２（ａ）は、感触生成ユニット１７の反力増加領域Ｒ０付近の拡大図である。感触生成ユニット１７は、クッション材２１、低摩擦部材２２及び起毛部材３０を有する。被駆動部１６の上にクッション材２１が固着され、クッション材２１の上に低摩擦部材２２が固着される。起毛部材３０は、低摩擦部材２２の一部において露出するように固着される。
【００３３】
クッション材２１は、ゴム、スポンジ等の弾性を有する部材である。低摩擦部材２２は、高密度ＰＥＴ（Polyethylene terephthalate）等でなるが、表面の面粗さが小さく摩擦係数が小さければ他の材質であってもよい。起毛部材３０は、人工皮革等の基材の表面から起毛群２４が植立されてなり、起毛群２４が配設される領域が反力増加領域Ｒ０となっている。
【００３４】
起毛部材３０において、起毛群２４は、例えば静電植毛技術によって起立して植立できる。被植毛材（人工皮革）に接着剤を塗布し、電界を形成してフロック（毛）ないしパイル（短繊維）を飛翔させることで実現される。起毛群２４は、側面視（図２（ａ）の紙面正面視）で摺動における復方向（図２（ａ）の右方）に傾斜して植立され、斜めに起立する。傾斜の角度は、静電植毛加工時の電界の方向によって制御可能である。
【００３５】
押鍵行程において摺動部であるアクチュエータ１３が被摺動部である感触生成ユニット１７の摺接面１７ａに対して往方向に摺動するとき、低摩擦部材２２では発生する摩擦力が小さい。しかし起毛群２４が存在することにより、反力増加領域Ｒ０では発生する摩擦力が大きくなる。
【００３６】
しかも、起毛群２４が復方向に傾斜しているため、反力増加領域Ｒ０を往方向に摺動するときの摩擦係数μＧよりも、復方向に摺動するときの摩擦係数μＲの方が小さい。従って、離鍵行程においてアクチュエータ１３が反力増加領域Ｒ０を復方向に摺動するときに発生する摩擦力は、低摩擦部材２２を摺動するときとあまり変わらない。
【００３７】
ところで、起毛群２４が反力増加領域Ｒ０に存在すればよく、起毛部材３０と低摩擦部材２２との固着関係は問わない。例えば、起毛部材３０がクッション材２１に固着され、低摩擦部材２２が起毛部材３０で分かれて配置されてもよい。
【００３８】
図３（ａ）、（ｂ）は、押鍵行程における弱押鍵時、強押鍵時の押鍵ストロークと押鍵反力との関係を示す図である。
【００３９】
図３（ａ）に示すように、弱押鍵時には、押鍵途中で反力がコブ状に一時的に増加する。すなわち、非押鍵状態から弱押鍵の操作がされると、感触生成ユニット１７の摺接面１７ａに対して相対的に、アクチュエータ１３が図２（ａ）の左方に摺動する。レスト対応位置Ｐｒから反力増加領域Ｒ０に達するまでは摩擦が小さく、滑らかに摺動する。アクチュエータ１３が反力増加領域Ｒ０を通過するとき、一時的に摩擦が大きくなって押鍵反力が増大する。その後、アクチュエータ１３が反力増加領域Ｒ０を通過した直後には再び摩擦が小さくなって押鍵反力が減少する。押鍵反力が急増した直後に急減することで、アコースティックピアノにおけるジャック抜けのような感じ（クリック感）が生じる。
【００４０】
一方、図３（ｂ）に示すように、強押鍵時の押鍵初期には、ハンマ体ＨＭの慣性質量が反力として作用するため初期反力が大きいが、その後に反力が大きく増加することはない。すなわち、弱押鍵時には、ハンマ体ＨＭの自重による力が定常的にかかるが、強押鍵時にはかからない。強押鍵時には、ハンマ体ＨＭが大きく加速されるから、アクチュエータ１３が反力増加領域Ｒ０を通過するときには、強く接しないか全く接しない状態となる。そのため、反力増加領域Ｒ０の摩擦の影響が小さく、通過前後で反力の変化が小さい。従って、強押鍵時には、クリック感がほとんど感じられずに済む。この感触の点ではアコースティックピアノと同様となる。
【００４１】
離鍵行程では、反力増加領域Ｒ０を通過する前後で摩擦力の変化がほとんどない。従って、離鍵時の感触に違和感はなく、その感触の点ではアコースティックピアノと同様となる。
【００４２】
本実施の形態によれば、摺動領域のうちエンド対応位置Ｐｅに近い領域に、往方向に摺動するときに発生する摩擦力が一時的に大きくなる反力増加領域Ｒ０を設けたので、弱押鍵時に明瞭なクリック感を発生させることができる。しかも、反力増加領域Ｒ０は、往方向に摺動するときよりも復方向に摺動するときの方が、発生させる摩擦力が小さいので、離鍵行程におけるクリック感を小さくして違和感を抑制することができる。
【００４３】
ところで、反力増加領域Ｒ０において、往方向よりも復方向での摩擦を小さくするための構成は、起毛部材３０に限定されず、図２（ｂ）に示すような変形例も考えられる。
【００４４】
図２（ｂ）は、変形例の感触生成ユニット１７の反力増加領域Ｒ０付近の拡大図である。感触生成ユニット１７は、クッション材２１、低摩擦部材２３を有する。被駆動部１６の上にクッション材２１が固着され、クッション材２１の上に低摩擦部材２３が固着される。低摩擦部材２３の材質は例えば低摩擦部材２２（図２（ａ））と同様である。
【００４５】
低摩擦部材２３のうち反力増加領域Ｒ０においては、表面である摺接面１７ａから下方に窪んだ溝群２５が設けられる。溝群２５は、側面視（図２（ａ）の紙面正面視）で底側にいくほど往方向寄りとなるよう傾斜して形成されている。
【００４６】
溝群２５が傾斜しているため、反力増加領域Ｒ０を往方向に摺動するときの摩擦係数μＧよりも、復方向に摺動するときの摩擦係数μＲの方が小さい。従って、図２（ａ）の構成と同様の作用が生じ、離鍵行程におけるクリック感を小さくして違和感を抑制することができる。
【００４７】
なお、強押鍵時や離鍵行程ではアクチュエータ１３と摺接面１７ａとの当接力は大きくない。そのため、弱押鍵時のクリック感に重点を置くならば、反力増加領域Ｒ０を、他の摺動領域より摩擦係数が大きい領域として構成するだけでも効果はある。従って、この観点に限れば、起毛部材３０や溝群２５に必ずしも傾斜を設けることは必須でない。
【００４８】
（第２の実施の形態）
第１の実施の形態では、摩擦係数が往復で異なる反力増加領域Ｒ０を設けた。しかし、上述したように、そもそも強押鍵時や離鍵行程ではアクチュエータ１３と摺接面１７ａとの当接力は大きくない。そのため、弱押鍵時のクリック感に重点を置くならば、他の構成も各種考えられる。本発明の第２の実施の形態では、第１の実施の形態に対して感触生成ユニット１７の構成が異なり、その他の構成は同様である。
【００４９】
図４（ａ）は、第２の実施の形態における感触生成ユニット１７の反力増加領域Ｒ０付近の拡大図である。
【００５０】
感触生成ユニット１７は、クッション材２７、低摩擦部材２６を有する。被駆動部１６の上にクッション材２７が固着され、クッション材２７の上に低摩擦部材２６が固着される。クッション材２７、低摩擦部材２６の材質は、第１の実施の形態におけるクッション材２１、低摩擦部材２２（図２（ａ））と同様である。
【００５１】
低摩擦部材２２には、反力増加領域Ｒ０において上方に凸状に盛り上がった凸部２９が形成されている。また、クッション材２７には、反力増加領域Ｒ０において硬質部材２８が埋設される。硬質部材２８は、クッション材２７において他の部分より弾性変形しにくい（弾性係数が大きい）硬質部分であり、摺接面１７ａの内側に位置する。硬質部材２８の材質は問わない。
【００５２】
押鍵行程において、アクチュエータ１３が反力増加領域Ｒ０を摺動するとき、凸部２９を乗り越える。凸部２９を乗り越えたときに一時的に押鍵反力が増大し、その直後には急減する。これにより、クリック感が生じる。また、これに加えて、アクチュエータ１３が反力増加領域Ｒ０を摺動するとき、硬質部材２８の存在によって押鍵反力が増加する。
【００５３】
すなわち、アクチュエータ１３に押圧された低摩擦部材２６の箇所は、主にクッション材２７の弾性変形により下方に撓む（凹む）。しかし、硬質部材２８のある領域では弾性変形量が小さくなるため、低摩擦部材２６の撓み量も小さくなる。その結果、反力増加領域Ｒ０では押鍵反力が増加する。凸部２９と硬質部材２８の相乗効果によって反力増加が明瞭である。
【００５４】
このように反力が顕著に増加するのは、第１の実施の形態と同様に押鍵行程の弱押鍵時だけである。押鍵行程の強押鍵時や離鍵行程には、反力増加領域Ｒ０の通過前後で反力の変化が大きくなく、違和感は小さい。
【００５５】
しかも、図４（ａ）に示すように、凸部２９の山形状の斜面の傾斜は、往方向の登り斜面（図４（ａ）の右側）よりも下り斜面の方が緩やかとなっている。これにより、離鍵行程においては反力増加領域Ｒ０での反力の急上昇が一層緩和され、違和感の抑制に寄与する。
【００５６】
本実施の形態によれば、弱押鍵時に明瞭なクリック感を発生させることに関し、第１の実施の形態を同様の効果を奏することができる。
【００５７】
なお、本実施の形態において、低摩擦部材２６に弾性が大きいものを採用した場合は、硬質部材２８は、低摩擦部材２６より硬い部分として低摩擦部材２６の中に埋設してもよい。
【００５８】
また、図４（ａ）の例では、凸部２９と硬質部材２８の相乗効果を得たが、凸部２９と硬質部材２８のいずれか一方のみを採用してもよい。また、図２（ａ）または図２（ｂ）に示すような摩擦により反力を生じさせる構成と、凸部２９及び硬質部材２８のいずれかまたは双方の構成とを組み合わせてもよい。
【００５９】
上記各実施の形態において、図４（ｂ）に示すように、「摺動部」と「被摺動部」の関係を逆にしてもよい。
【００６０】
図４（ｂ）に示す変形例では、「摺動部」と「被摺動部」の関係を上記各例とは逆にしている。すなわち、鍵Ｋについてはアクチュエータ１３を廃止すると共に感触生成ユニット１７に相当する感触生成ユニット１１７を設け、一方、ハンマ体ＨＭの被駆動部１６に突設部１６ａを設ける。そして、押鍵操作により感触生成ユニット１１７が突設部１６ａを駆動するように構成する。
【００６１】
従って、感触生成ユニット１１７がハンマ駆動部となる。感触生成ユニット１１７の下面が摺接面１１７ａとなり、押鍵の往行程においては、突設部１６ａが感触生成ユニット１１７の摺接面１１７ａに対して相対的に図４（ｂ）の右方に摺動する。突設部１６ａが「摺動部」となり、感触生成ユニット１１７が「被摺動部」となる。反力増加領域Ｒ０は感触生成ユニット１１７の下面側に設ける。かかる構成においても、作用は上記各実施の形態と同じである。
【００６２】
上記した各実施の形態において、クッション材と低摩擦部材とは単一の部材として一体に構成してもよい。
【００６３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６４】
Ｋ  鍵、  ＨＭ  ハンマ体、  Ｐｒ  レスト対応位置、  Ｐｅ  エンド対応位置、  Ｒ０  反力増加領域、  １３  アクチュエータ（ハンマ駆動部、摺動部）、  １６  被駆動部、  １６ａ  突設部（摺動部）、  １７  感触生成ユニット（被駆動部、被摺動部）、  １１７  感触生成ユニット（ハンマ駆動部、被摺動部）、  １７ａ、１１７ａ  摺接面（表面）、  ２４  起毛群、  ２５  溝群、  ２８  硬質部材（硬質部分）、  ２９  凸部、  ３０  起毛部材
【図１】
2013167790.tif 000003
【図２】
2013167790.tif 000004
【図３】
2013167790.tif 000005
【図４】
2013167790.tif 000006